(57)【要約】【課題】本発明の目的は、車室内のスペースが制限された車両において、大人２人が車室内の前後に乗車することが可能で、且つ組付作業性も向上させることが可能な車両用シート構造を提供することである【解決手段】本発明では、車室内に前席シート５と後席シート６とが車両前後方向に間隔を置いて設けられている車両用シート構造において、前席シート５の座面７と後席シート６の座面８とが、車両前後方向に連続して延在するように形成され、前席シート５の座面７と後席シート６の座面８との間の連続部９には、上方に立設したシートバック１０が形成され、車室内の床面２ａには、前席シート５の座面７の両側の位置に凹部１９，２０が設けられている。【選択図】  図１
2010221869.tif 000002
【特許請求の範囲】
【請求項１】
車室内に前席シートと後席シートとが車両前後方向に間隔を置いて設けられている車両用シート構造において、
前記前席シートの座面と前記後席シートの座面とが、車両前後方向に連続して延在するように形成され、前記前席シートの前記座面と前記後席シートの前記座面との間の連続部には、上方に立設したシートバックが形成され、車室内の床面には、前記前席シートの前記座面の両側の位置に凹部が設けられていることを特徴とする車両用シート構造。
【請求項２】
前記シートバックは、該シートバックの外周縁を形成するフレームを備え、該フレームの内側には、網材が配置されていることを特徴とする請求項１に記載の車両用シート構造。
【発明の詳細な説明】
【技術分野】
【０００１】
本発明は、自動車の車室内に設けられる車両用シートの構造に関する。
【背景技術】
【０００２】
一般に、自動車等の車両のシート構造においては、運転席や助手席となる前席シートと、同乗者専用の後席シートとが車室内で車両前後方向に間隔を置いて設けられている。
【０００３】
近年、コンパクトカー等、車室内のスペースが制限された車両において、前席シートと後席シートとを設け、より多くの人数が乗車することが可能な車両用シート構造が提案されている（例えば、特許文献１）。
特許文献１においては、車室の床面に段上げした部分を形成し、この段上げした部分の下方には燃料タンク等の車両補機が配置され、一方、段上げした部分の上方には子供用シートが設置された車両用シート構造が開示されている。
【先行技術文献】
【特許文献】
【０００４】
【特許文献１】特開２００６−２９００５７号公報
【発明の概要】
【発明が解決しようとする課題】
【０００５】
しかしながら、上述した特許文献１のシート構造では、車室の床面を段上げした部分には、子供しか乗せることができず、車室内のスペースが制限された車両において、大人２人が車室内の前後に乗車することができない。
また、特許文献１のシート構造では、４人分のシートがそれぞれ別個に構成されており、乗車人数分だけ車両用シートの座面等の部品が必要となる。このように、部品点数が多いため、コストがかかったり、組付作業における作業工数が多くなるという問題点もあった。
【０００６】
本発明はこのような実情に鑑みてなされたものであって、その目的は、車室内のスペースが制限された車両において、大人２人が車室内の前後に乗車することが可能で、且つ部品点数を削減することによりコスト及び作業工数を削減することが可能な車両用シート構造を提供することである。
【課題を解決するための手段】
【０００７】
上記従来技術の有する課題を解決するために、本発明の実施態様によれば、車室内に前席シートと後席シートとが車両前後方向に間隔を置いて設けられている車両用シート構造において、前記前席シートの座面と前記後席シートの座面とが、車両前後方向に連続して延在するように形成され、前記前席シートの前記座面と前記後席シートの前記座面との間の連続部には、上方に立設したシートバックが形成され、車室内の床面には、前記前席シートの前記座面の両側の位置に凹部が設けられている。
【０００８】
また、本発明の別の実施態様によれば、前記シートバックは、該シートバックの外周縁を形成するフレームを備え、該フレームの内側には、網材が配置されている。
【発明の効果】
【０００９】
本発明に係る車両用シート構造によれば、前記前席シートの座面と前記後席シートの座面とが、車両前後方向に連続して延在するように形成され、前記前席シートの前記座面と前記後席シートの前記座面との間の連続部には、上方に立設したシートバックが形成され、車室内の床面には、前記前席シートの前記座面の両側の位置に凹部が設けられているので、前席シートと後席シートとの間の車両前後方向の間隔を従来に比べてより小さく設定することができる。これにより、車室全体の構成をコンパクトにすることができる。加えて、乗客（大人）が後席シートに座る場合、乗客が足を前席シートの両側に位置する凹部に置けるようになるので、車室内のスペースが制限された車両においても、大人２人が車室内で前後に乗車することができる。
また、前席シートの座面と後席シートの座面とが車両前後方向に連続して延在するように形成されているので、従来に比べて座面等の部品が少なくなり、コストの削減及び組付作業における作業工数の削減を図ることができる。
【００１０】
また、本発明に係る車両用シート構造によれば、前記シートバックは、該シートバックの外周縁を形成するフレームを備え、該フレームの内側には、網材が配置されているので、車室内の車両シートの軽量化を図ることができる。加えて、後席シートの乗客の膝の位置に網材が配置されることになるので、乗客が後席シートに座る場合、乗客の膝がシートバックに圧迫されず、車室内のスペースが制限された車両においても、乗客の座り心地が損なわれることもない。
また、網材により後席シートの乗客の座り心地が確保されるので、前席シートと後席シートとの間の車両前後方向の間隔を、後席シートの乗客の膝が網材に当たるような最小限の間隔まで小さく設定することができる。これにより、車室全体の構成を更にコンパクトにすることができる。
【図面の簡単な説明】
【００１１】
【図１】本発明の実施形態に係る車両用シート構造を車両前方側から見た図である。
【図２】本発明の実施形態に係る車両用シート構造における第１の車両用シートを車幅方向側から見た側面図である。
【発明を実施するための形態】
【００１２】
以下、本発明の実施形態に係る車両用シート構造を、図面を参照しながら説明する。
【００１３】
図１に示すように、本実施形態に係る車両１は、４人乗り用（４シータ式）車両であり、車室内の車体フロア２には、第１の車両用シート３と第２の車両用シート４とが車幅方向に間隔を置いて設けられている。
ここで、第１及び第２の車両用シート３，４は同様の構成であるため、以下では、第１の車両用シート３を例として説明する。
【００１４】
図１及び図２に示すように、本実施形態では、車体フロア２の車両後方側には、床面２ａから上方に向かって段上げされた段上部２ｂが設けられている。第１の車両用シート３は、車両前後に配置された前席シート５と後席シート６とから構成されており、前席シート５は車体フロア２の床面２ａ上に配置され、一方、後席シート６は、車体フロア２の段上部２ｂに配置されている。
【００１５】
また、本実施形態では、前席シート５の座面７と後席シート６の座面８とが、車両前後方向に連続して延在するように形成されており、前席シート５の座面７と後席シート６の座面８との間の連続部９は、車体フロア２の形状に沿って段差状に形成されている。
【００１６】
また、図１及び図２に示すように、前席シート５の座面７と後席シート６の座面８との間の連続部９には、上方に立設した前席用シートバック１０が設けられている。前席用シートバック１０は、開口部１１を有するフレーム１２を備えており、このフレーム１２は、正面視で楕円状に形成されている。また、フレーム１２の下端部１２ａは、連続部９に固定されており、一方、フレーム１２の上端部１２ｂには、ヘッドレスト１３が設けられている。そして、フレーム１２の開口部１１には、ネット（網材）１４が張られている。
【００１７】
また、図１及び図２に示すように、後席シート６の座面８の車両後方側部分８ａは、上方に向かって延在して後席用シートバック１５を形成している。後席用シートバック１５の上部には、乗客の肩が配置される部分に開口部１６が設けられており、この開口部１６には、ネット１７が張られている。また、後席用シートバック１５の上端部１５ａには、ヘッドレスト１８が設けられている。
【００１８】
図１に示すように、本実施形態では、車体フロア２の床面２ａには、第１の車両用シート３の両側に車両前後方向に延びる第１及び第２の凹部１９，２０がそれぞれ設けられている。これら第１及び第２の凹部１９，２０は、後席シート６の座面８の下方の位置から前席シート５の前方に配置されたインストルメントパネル（図示せず）の下方の位置まで延びている。
上述では、図１及び図２を用いて第１の車両用シート３についてのみ説明したが、第２の車両用シート４も同様の構成である。
【００１９】
このように本実施形態に係る車両用シート構造によれば、前席シート５の座面７と後席シート６の座面８とが、車両前後方向に連続して延在するように形成され、前席シート５の座面７と後席シート６の座面８との間の連続部９には、上方に立設した前席用シートバック１０が形成され、車室内の車体フロア２の床面２ａには、第１の車両用シート３の両側に車両前後方向に延びる第１及び第２の凹部１９，２０がそれぞれ設けられているので、前席シート５と後席シート６との間の車両前後方向の間隔を従来に比べてより小さく設定することができる。これにより、車室全体の構成をコンパクトにすることができる。加えて、乗客（大人）が後席シート６に座る場合、乗客が足を開いた状態で第１及び第２の凹部１９，２０に置けるようになるので、車室内のスペースが制限された車両においても、大人２人が車室内で前後に乗車することができる。
また、前席シート５の座面７と後席シート６の座面８と後席シート用シートバック１５とが連続して一体形成されているので、従来に比べて座面等の部品が少なくなり、コストの削減及び組付作業における作業工数の削減を図ることができる。
【００２０】
このように本実施形態に係る車両用シート構造によれば、前席用シートバック１０は、正面視で楕円状に形成されるとともに内側に開口部１１を有するフレーム１２を備えており、フレーム１２の開口部１１には、ネット１４が配置されているので、車室内の第１及び第２の車両用シート３，４の軽量化を図ることができる。また、後席シート６の乗客の膝の位置にネット１４が配置されることになるので、乗客が後席シート６に座る場合、乗客の膝がシートバック１０に圧迫されず、車室内のスペースが制限された車両においても、乗客の座り心地が損なわれることもない。
また、ネット１４により後席シート６の乗客の座り心地が確保されるので、前席シート５と後席シート６との間の車両前後方向の間隔を、後席シート６の乗客の膝がネット１４に当たるような最小限の間隔まで小さく設定することができる。これにより、車室全体の構成を更にコンパクトにすることができる。
【００２１】
このように本実施形態に係る車両用シート構造によれば、車体フロア２の車両後方側には、床面２ａから上方に向かって段上げされた段上部２ｂが設けられ、前席シート５は車体フロア２の床面２ａ上に配置され、後席シート６は、車体フロア２の段上部２ｂに配置され、前席シート５の座面７と後席シート６の座面８との間の連続部９は、車体フロア２の形状に沿って段差状に形成されているので、車体フロア２の段上部２ｂの下のスペースを燃料タンクの配置や収納スペース等に利用することができる。
また、前席シート５は車体フロア２の床面２ａ上に配置され、後席シート６は、車体フロア２の段上部２ｂに配置されているので、後席シート６に乗客が座る場合、後席シート６の乗客の頭の位置が前席シート５の乗客の頭より高くなり、後席シート６の乗客の視界が確保されるとともに、後席シート６の乗客が前席シート５の乗客により圧迫感を与えられることもない。
【００２２】
以上、本発明の実施の形態につき述べたが、本発明は既述の実施形態に限定されるものでなく、本発明の技術的思想に基づいて各種の変形及び変更が可能である。
【符号の説明】
【００２３】
１  車両
２  車体フロア
２ａ  車体フロアの床面
２ｂ  車体フロアの段上部
３，４  車両用シート
５  前席シート
６  後席シート
７，８  座面
９  連続部
１０，１５  シートバック
１１，１６  シートバックの開口部
１２  フレーム
１３，１８  ヘッドレスト
１４，１７  ネット（網材）
１９，２０  凹部
【図１】
2010221869.tif 000003
【図２】
2010221869.tif 000004